(57)【要約】      （修正有）【課題】「ランマ」の有効活用あるいはその単なる交換で済ませることができるとともに、島の構成に余り大きな変更を加えることなく、遊技者の利便性をさらに高めることができる収納構造を提供すること。【解決手段】遊技機１１の上部に取り付けられて、島内部の点検口１３の蓋も兼ねたランマ１２に取付口１２ａを形成し、この取付口１２ａ内に、前面が開口するとともに、この開口の近傍にランマ１２の前面に当接することになるフランジを有した収納箱２０を嵌合して、この収納箱２０をランマ１２と一体化したこと。【選択図】図１
0003139566.tif 000002
【実用新案登録請求の範囲】
【請求項１】
複数の遊技機を配列して組み付けた遊技機島において、
前記遊技機の上部に取り付けられて、島内部の点検口の蓋も兼ねたランマに取付口を形成し、
この取付口内に、前面が開口するとともに、この開口の近傍に前記ランマの前面に当接することになるフランジを有した収納箱を嵌合して、この収納箱を前記ランマと一体化したことを特徴とする遊技機島における収納構造。
【請求項２】
前記収納箱の少なくとの底面に、換気のための穴を形成したことを特徴とする請求項１に記載の遊技機島における収納構造。
【考案の詳細な説明】
【技術分野】
【０００１】
本考案は、遊技機島における収納構造に関し、特に、遊技に使われるパチンコ球やコインを収納する箱（以下、収納箱と区別するため、通称である「ドル箱」という言葉を使用する）が収納できることは勿論、遊技者の鞄やバッグも収納できるようにした収納構造に関するものである。
【背景技術】
【０００２】
遊技場（所謂ホール）においては、多数の遊技機を列にして整然と並べて配置してあるが、これらの列は、一般に「島」と呼ばれている。このような島の間には、遊技者が遊技機に向かって座る椅子が設置してあって、これらの椅子の間は人がやっと通れる程度の通路となっているのが一般的である。勿論、遊技機や椅子は、遊技者同志が隣り合わせで遊技できる程度に隣接していて、これらの間もそれ程余裕がない状態となっている。
【０００３】
一方、遊技に使用されるパチンコ球やコインは、これが多くなると上述したドル箱が用意されて、その中に収容して遊技機の手前に置かれる。このようなドル箱は、最初の一箱は、遊技機の手前におかれているが、それ以上必要な分は、遊技場の片隅に積んでおかれるものであり、これが必要になった遊技者は店員を呼んで持って来てもらわなければならない。
【０００４】
以上のような状態が遊技機の島の回りにおける状態であるため、例えば遊技者が持ち込んだ鞄やバッグの置き場所が殆どないのが実情であるが、このような「物を置く場所がない状態」を解消するために、例えば、特許文献１〜特許文献４にて提案されているような種々な構造がある。
【０００５】
特許文献１あるいは特許文献２では、図９あるいは図１０に示すように、丁度遊技者の膝元や足元に位置する部分に収納箇所を設けるようにしたものであるため、膝元や足元が非常に窮屈になっている。また、特許文献３には、図１１に示すように、遊技機の手前直下に開閉式の棚を設けた例が提案されているが、この例でも、島間での狭さの解消になっているとは思えない。
【０００６】
これに対して、特許文献４にて提案されている「遊技機島」では、「遊技機島を構成する遊技機列全体の高さを小さくして、操作性を良くし、製作コスト及び遊技場への搬入と据付工事の時間と経費を低く抑えるとともに、遊技者がプレイを中断することなく、紙幣搬送に伴うトラブルに対するメンテナンスを短時間で行うことが出来る遊技機島を提供する」を目的としてなされたもので、図１２に示すように、「遊技機２及び遊技媒体貸出機３を複数並設して遊技機列を構成しこれらの遊技機２及び遊技媒体貸出機３を背中合わせに配置して形成した遊技機島において、これら複数の遊技機２及び遊技媒体貸出機３の上部に配置したドル箱収納用のドル棚４に押ボタン及びエラー表示等の表示機能を備え、前記ドル棚４の前面上部に紙幣を送るための紙幣搬送装置５を配置した」ものである。
【０００７】
確かに、この特許文献４の「遊技機島」では、「複数の遊技機２及び遊技媒体貸出機３の上部にドル箱収納用のドル棚４を配置した」から、膝元や足元の不具合が解消でき、鞄やバッグをこの「ドル棚４」内に収納できて便利であると考えられるが、この「ドル棚４」の前面上部に「紙幣を送るための紙幣搬送装置５を配置」しなければならず、島全体の構造改変が必要となっているから、簡単な工事でしかも安価にドル棚４が取り付けられる構造にはなっていないと考えられる。しかも、この特許文献４の構造では、ドル棚４を開けて、遊技機上部のランマ背面の点検を行うことができない構造となっていると考えられる。
【特許文献１】特開平１１−１２８５１５号公報、代表図
【特許文献２】特開平０９−３２７５６９号公報、代表図
【特許文献３】特開平０９−５６９１６号公報、代表図
【特許文献４】特開２００２−６６１０２号公報、代表図
【考案の開示】
【考案が解決しようとする課題】
【０００８】
そこで、本考案者等は、通常一般に採用されている「ランマ」を有効に活用するか、その単なる交換で済むとともに、島の構成に余り大きな変更を加えることなく、お客である遊技者の利便性を高めることができる収納構造とするにはどうしたらよいか、について種々検討を重ねてきた結果、本考案を完成したのである。
【０００９】
すなわち、本考案の目的とするところは、「ランマ」の有効活用あるいはその単なる交換で済ませることができるとともに、島の構成に余り大きな変更を加えることなく、遊技者の利便性をさらに高めることができる収納構造を提供することにある。
【課題を解決するための手段】
【００１０】
以上の課題を解決するために、まず、請求項１に係る考案の採った手段は、後述する最良形態の説明中で使用する符号を付して説明すると、
「複数の遊技機１１を配列して組み付けた遊技機島１０において、
遊技機１１の上部に取り付けられて、島内部の点検口１３の蓋も兼ねたランマ１２に取付口１２ａを形成し、
この取付口１２ａ内に、前面が開口２１するとともに、この開口２１の近傍にランマ１２の前面に当接することになるフランジ２２を有した収納箱２０を嵌合して、この収納箱２０をランマ１２と一体化したことを特徴とする遊技機島１０における収納構造」
である。
【００１１】
すなわち、この請求項１に係る収納構造では、一般的な遊技機島１０において採用されているランマ１２を利用または交換して、ドル箱や鞄、あるいはバッグを収納できる収納箱２０を取り付けるようにしたものであり、さらに、図１にも示すように、ランマ１２の開閉も従来通り行えるようにするものである。
【００１２】
各ランマ１２に収納箱２０を取り付けるためには、このランマ１２に、図３にも示すように収納箱２０のための取付口１２ａを形成するだけでよい。この取付口１２ａを形成するためには、既に設置してある各ランマ１２にこの取付口１２ａを形成するか、あるいは取付口１２ａが形成してある新たなランマ１２を、既に設置してあるランマ１２と交換すればよい。ランマ１２は、その上縁の蝶番によって取り付けられているものであるから、このランマ１２の取外作業や取付作業は、当該遊技機島１０の全体変更を行うことなく、簡単かつ安価に行えるのである。
【００１３】
収納箱２０は、その前面を開口２１としたものであるから、図１及び図２に示すように、この開口２１から当該収納箱２０内に物を入れることができるだけでなく、この収納箱２０はランマ１２に取り付けたものであるから、この収納箱２０の存在は勿論、この中に入れたドル箱や鞄等が遊技者の邪魔になることはない。
【００１４】
さらに、重要なことは、上述したように、この収納箱２０を取り付けたランマ１２は開閉できるものであるから、このランマ１２を開ければ、図１にも示すように、点検口１３が開放されることになるから、遊技機の上部内方の点検やトラブル解消が行えるのである。
【００１５】
従って、この請求項１に係る収納構造によれば、ランマ１２の有効活用ができ、あるいはその単なる交換で済ませることができるとともに、遊技機島１０の構成に余り大きな変更を加えることなく、遊技者の利便性をさらに高めることができるものとなっているのである。
【００１６】
また、上記課題を解決するために、請求項２に係る考案の取った手段は、上記請求項１に記載の遊技機島１０における収納構造について、
「収納箱２０の少なくとの底面に、換気のための穴２４を形成したこと」
である。
【００１７】
すなわち、この請求項２の取付構造では、その収納箱２０に、特に図６に示すように、穴２４を形成したものであり、この穴２４を通して当該遊技機島１０内外の空気の流通を許容することになるのである。
【００１８】
遊技機１１としてパチンコ機を考えた場合、その裏面側では、各種電子部品からの熱が発生しており、この熱を外部に逃がさないと、種々なトラブル発生の原因となることがある。この点、本考案の構造によれば、遊技機１１裏面側の熱は、当該収納箱２０に形成してある各穴２４（後述する最良形態ではスリットにしてある）から、前面側の開口２１より、あるいは当該収納箱２０の上面側にも形成してある穴２４より、通路側あるいは天井側へと排出されるため、遊技機１１の裏面側に熱が籠もることはない。
【００１９】
従って、この請求項２の収納構造においては、上記請求項１のそれと同様な機能を発揮する他、遊技機１１の裏面側に熱を籠もらせるようなことはないのである。
【考案の効果】
【００２０】
以上、説明した通り、本考案によれば、
「複数の遊技機１１を配列して組み付けた遊技機島１０において、
遊技機１１の上部に取り付けられて、島内部の点検口１３の蓋も兼ねたランマ１２に取付口１２ａを形成し、
この取付口１２ａ内に、前面が開口２１するとともに、この開口２１の近傍にランマ１２の前面に当接することになるフランジ２２を有した収納箱２０を嵌合して、この収納箱２０をランマ１２と一体化したこと」
にその構成上の主たる特徴があり、これにより、ランマ１２の有効活用が行えるか、その単なる交換で済ませることができるとともに、遊技機島１０の構成に余り大きな変更を加えることなく、遊技者の利便性をさらに高めることができる収納構造を提供することができるのである。
【考案を実施するための最良の形態】
【００２１】
次に、以上のように構成した各請求項に係る考案を、図面に示した最良の形態である収納箱２０について説明するが、この最良形態の収納箱２０及びこれを使用した収納構造は、上記各請求項に係る考案を実質的に含むものであるため、以下では、この収納箱２０を中心に説明することとする。
【００２２】
図１及び図２には、本考案に係る収納構造を採用した遊技機島１０の部分斜視図及び正面図がそれぞれ示してあるが、この遊技機島１０では、複数並べられた遊技機１１の上部に、上縁にて開閉されるランマ１２が取り付けてある。
【００２３】
これらのランマ１２は、通常はその重力によって垂れ下がった状態になているが、これを持ち上げることにより、例えばトラブルが発生した遊技機１１の上方にある点検口１３を開放させることができるものである。そして、開放された点検口１３を通して、種々なトラブル解消作業がなされるのである。このときには、図３中の仮想線にて示したように、収納箱２０はランマ１２とともに持ち上げられることになる。勿論、このランマ１２を降ろせば、図２にも示したように、各収納箱２０の開口２１は遊技者側に開口することになるもとは言うまでもない。
【００２４】
さて、この収納箱２０をランマ１２に取り付けるには、図３の左側のランマ１２にて示したように、各ランマ１２に取付口１２ａを形成するか、取付口１２ａを形成したランマ１２と交換すればよい。そして、この取付口１２ａ内に次に述べる収納箱２０を嵌合すればよいのである。
【００２５】
各収納箱２０は、図４〜図８に示したように、ランマ１２に取り付けたときの前方になる部分を開口２１とした、文字通り「箱状」としたものであり、この開口２１の周囲には、図７及び図８にも示したように、フランジ２２が一体的に形成してある。このフランジ２２は、上記取付口１２ａの周囲に位置するランマ１２の前面に当接することになるものであり、後述する取付部材２５との作用との相まって、当該収納箱２０のランマ１２に対する一体的な取付を確実なものとするものである。
【００２６】
なお、本最良形態の収納箱２０では、図６〜図８に示したように、前面にて開口する開口２１の下側に位置する部分に補助台２３が一体的に突出形成してある。この補助台２３は、当該収納箱２０の底部と連続する平面を形成していて、収納箱２０の実質的な収納部分を増加させるものである。勿論、この補助台２３の前方への突出量は、ランマ１２の開放時に他の部分に接触しないようにする程度、及びランマ１２が垂下されたときに、遊技機島１０の外側、つまり、通路側に余り多く突出しない程度にしてあることは言うまでもない。
【００２７】
また、本最良形態の収納箱２０では、図８にも示したように、その底部と上部に、図６に示したような穴２４（実際上はスリットとしてある）が形成してある。これらの穴２４は、収納箱２０の側面に形成してもよいものであるが、要するに、各遊技機１１の背面側上部と通路側、あるいは遊技機島１０の上部である遊技場の天井側とを連通させるものである。このようにした穴２４は、例えば遊技機１１の背面から発生する熱を、空気を介して他の部分に排出できるようにするものである。
【００２８】
そして、本最良形態の収納箱２０では、図７及び図８に示したように、そのフランジ２２の背面（通路とは反対側になる面）に、複数の取付部材２５が一体的に形成してある。これらの取付部材２５は、当該収納箱２０をランマ１２の取付口１２ａ内に強制的に嵌合したとき、このランマ１２の背面側に位置することになるものであり、フランジ２２とによってランマ１２を言わば挟み込むものである。これにより、この収納箱２０のランマ１２に対する一体化は、簡単に行えるだけでなく、確実になされるものである。
【図面の簡単な説明】
【００２９】
【図１】本考案に係る収納構造を採用した遊技機島の部分斜視図である。
【図２】収納構造を採用した遊技機島の部分正面図である。
【図３】同遊技機島の縦断面図である。
【図４】本考案に係る収納構造に使用される収納箱の拡大正面図である。
【図５】同収納箱の背面図である。
【図６】同収納箱の平面図を示すもので、底面図と同様に現れるものである。
【図７】同収納箱の右側面図である。
【図８】同収納箱の縦断面図である。
【図９】従来の技術を示す斜視図である。
【図１０】従来の他の技術を示す斜視図である。
【図１１】従来のさらに他の技術を示す斜視図である。
【図１２】別の従来技術を示す部分正面図である。
【符号の説明】
【００３０】
１０    遊技機島
１１    遊技機
１２    ランマ
１２ａ  取付口
１３    点検口
２０    収納箱
２１    開口
２２    フランジ
２３    補助台
２４    穴
２５    取付部材
【図１】
0003139566.tif 000003
【図２】
0003139566.tif 000004
【図３】
0003139566.tif 000005
【図４】
0003139566.tif 000006
【図５】
0003139566.tif 000007
【図６】
0003139566.tif 000008
【図７】
0003139566.tif 000009
【図８】
0003139566.tif 000010
【図９】
0003139566.tif 000011
【図１０】
0003139566.tif 000012
【図１１】
0003139566.tif 000013
【図１２】
0003139566.tif 000014